(57)【要約】【課題】手洗い器の手洗側排水経路への便器排水の逆流の恐れを低減できる壁排水型ターントラップ式水洗便器を提供する。【解決手段】室排水口７を設けたトラップ筒収納室６の後壁６ａに、手洗い器３０から至る手洗側排水経路３１の出口３１ａが接続される接続部８を設ける。接続部８に、正面視で手洗側排水経路３１の出口３１ａを覆う遮蔽部９と、手洗側排水経路３１の出口３１ａから上記遮蔽部９を廻りこんでトラップ筒収納室６に連通する迂回流路部１０とを設ける。【選択図】図１
2008291612.tif 000002
【特許請求の範囲】
【請求項１】
便器本体の前部に設けた便器ボウルの下部に後方に開口するボウル排水口を設け、このボウル排水口に上流側開口が接続されたトラップ筒を設け、このトラップ筒を、回動先端となる下流側開口が上方に向く状態から後方に向く状態に上下に回動自在にして、便器本体の後部に配設したトラップ筒収納室に収納配置し、トラップ筒の下流側開口からの便器排水を建物壁に設けた壁排水口に流す室排水口をトラップ筒収納室の後壁に設け、このトラップ筒収納室の後壁に手洗い器から至る手洗側排水経路の出口が接続される接続部を設け、この接続部に、正面視で手洗側排水経路の出口を覆う遮蔽部と、手洗側排水経路の出口から上記遮蔽部を廻りこんでトラップ筒収納室に連通する迂回流路部とを設けたことを特徴とする壁排水型ターントラップ式水洗便器。
【請求項２】
トラップ筒の下流側開口と室排水口とを左右方向の略同位置に位置させると共に、このトラップ筒の下流側開口及び室排水口と接続部とを左右方向にずらして位置させたことを特徴とする請求項１記載の壁排水型ターントラップ式水洗便器。
【発明の詳細な説明】
【技術分野】
【０００１】
本発明は、壁排水型ターントラップ式水洗便器に関するものである。
【背景技術】
【０００２】
従来一般に、手洗い器は便器後部に載設されるロータンクの上部に設けられ、便器の洗浄水として使用する水で用便後の手洗いを可能にしていたが、使い勝手の良い広い手洗い器３０を形成することは難しいと共に、手洗い排水はその後便器の洗浄水として使用されるため洗剤等で手洗いをするのには抵抗もあり、またすっきりとした外観からロータンクを備えないタイプの便器も普及するようになり、近年ではトイレルーム３２には図６のように水洗便器１´の他に別体の手洗い器３０を併設するケースが増えている。
【０００３】
この場合、便器の便器排水を流す便器側排水経路１１と、手洗い器３０の手洗い排水を流す手洗側排水経路３１とは、建物内に配設した排水管に個別に至る配管構造を採るのが普通であるが（たとえば特許文献１参照）、建物内の配管工事も必要であって施工が大変であるため、トイレルーム３２内に位置する便器の便器側排水経路１１に手洗側排水経路３１を接続させて、手洗い排水を便器排水と一緒に排水できるようにするのが好ましい。
【０００４】
ところで、近年では、トイレルーム３２の床下空間が広く採れないマンションなどで、壁排水型ターントラップ式水洗便器１が水洗便器として広く普及している。この壁排水型ターントラップ式水洗便器１は、便器本体２の前部に設けた便器ボウル３の下部に後方に開口するボウル排水口４を設け、このボウル排水口４に上流側開口５ａが接続されたトラップ筒５を設け、このトラップ筒５を、回動先端となる下流側開口５ｂが上方に向く状態から後方に向く状態に上下に回動自在にして、便器本体２の後部に配設したトラップ筒収納室６に収納配置し、トラップ筒５の下流側開口５ｂからの便器排水を建物壁２０に設けた壁排水口２１に流す室排水口７をトラップ筒収納室６の後壁６ａに設けて構成されたものである（図４参照）。
【０００５】
本出願人は、壁排水型ターントラップ式水洗便器１と手洗い器３０とをトイレルーム３２に併設した場合に、手洗い器３０から至る手洗側排水経路３１を便器側排水経路１１となるトラップ筒収納室６に接続させて、手洗排水を便器排水と一緒に排水させる（図５参照）ことを考えたが、以下の理由により実現されていない。
【０００６】
洗浄方式がターントラップ式のものは、従来一般の洗い落とし式やサイホン式と違って便器の構造自体で洗浄力を確保するものではなく、トラップ筒５を回転させて便器ボウル３の溜水を落下させることで、つまり溜水の位置エネルギーを利用することで、洗浄力が確保されるのであるが、壁排水型ターントラップ式水洗便器１はトラップ筒５の下流側開口５ｂが上方を向く状態から横方向になる状態にまでしか回動しないのであり、床に設けた排水口に排水するためにトラップ筒５が上方を向く状態から下方に向く状態にまで回動される床排水型ターントラップ式水洗便器に比べてその洗浄力は小さくならざるを得ない。このように洗浄力が小さくなりがちな壁排水型ターントラップ式水洗便器１における便器側排水経路１１では便器排水に含まれる汚物などが付着して堆積し易く、特にトラップ筒収納室６の後壁６ａの室排水口７付近に汚物が堆積して便器側排水経路１１を塞いでしまうと、これによって便器側排水経路１１の便器排水の流れが阻害されることとなって、この阻害された便器排水がトラップ筒収納室６に接続させた手洗側排水経路３１に逆流してしまうという恐れが大きいのである。
【特許文献１】特開２０００−１７０２３４号公報
【発明の開示】
【発明が解決しようとする課題】
【０００７】
本発明は上記の点に鑑みてなされたものであり、その目的とするところは、手洗い器の手洗側排水経路への便器排水の逆流の恐れを低減できる壁排水型ターントラップ式水洗便器を提供することを課題とするものである。
【課題を解決するための手段】
【０００８】
上記課題を解決するために請求項１に係る壁排水型ターントラップ式水洗便器１にあっては、便器本体２の前部に設けた便器ボウル３の下部に後方に開口するボウル排水口４を設け、このボウル排水口４に上流側開口５ａが接続されたトラップ筒５を設け、このトラップ筒５を、回動先端となる下流側開口５ｂが上方に向く状態から後方に向く状態に上下に回動自在にして、便器本体２の後部に配設したトラップ筒収納室６に収納配置し、トラップ筒５の下流側開口５ｂからの便器排水を建物壁２０に設けた壁排水口２１に流す室排水口７をトラップ筒収納室６の後壁６ａに設け、このトラップ筒収納室６の後壁６ａに手洗い器３０から至る手洗側排水経路３１の出口３１ａが接続される接続部８を設け、この接続部８に、正面視で手洗側排水経路３１の出口３１ａを覆う遮蔽部９と、手洗側排水経路３１の出口３１ａから上記遮蔽部９を廻りこんでトラップ筒収納室６に連通する迂回流路部１０とを設けたことを特徴とする。
【０００９】
これによると、トラップ筒５の下流側開口５ｂからの便器排水が流れる室排水口７と同じ壁の部位であるトラップ筒収納室６の後壁６ａに手洗い器３０から至る手洗側排水経路３１の接続部８があるので、室排水口７付近に付着した汚物に対して上記接続部８から供給される手洗排水を当てて上記付した汚物を剥がすように流すことができるのであり、つまり便器ボウル３から壁排水口２１に至る便器側排水経路１１に堆積した汚物を無くするようにできるから、便器側排水経路１１に堆積した汚物が便器排水の流れを阻害することに起因する手洗側排水経路３１への便器排水の逆流の恐れを低減することができる。また、たとえ便器側排水経路１１に堆積した汚物で流れが阻害された便器排水が手洗側排水経路３１に逆流しようとしても、接続部８に設けた正面視で手洗側排水経路３１の出口３１ａを覆う遮蔽部９によって、逆流する便器排水が勢い良く手洗側排水経路３１に流入することを防止できるのであり、これによっても手洗側排水経路３１への便器排水の逆流の恐れを低減することができる。
【００１０】
また、請求項２に係る壁排水型ターントラップ式水洗便器１にあっては、請求項１において、トラップ筒５の下流側開口５ｂと室排水口７とを左右方向の略同位置に位置させると共に、このトラップ筒５の下流側開口５ｂ及び室排水口７と接続部８とを左右方向にずらして位置させたことを特徴とする。
【００１１】
これによると、回動中のトラップ筒５の下流側開口５ｂからは少量の便器排水が後方に飛び出る場合もあるが、トラップ筒５の下流側開口５ｂと左右方向の略同位置に位置された室排水口７には上記飛び出た便器排水を速やかに排水できると共に、室排水口７と左右方向にずらして位置させた接続部８にはこの飛び出た便器排水が直接ひっかかる恐れを低減できるのであり、手洗側排水経路３１への便器排水の逆流の恐れを低減することができる。
【発明の効果】
【００１２】
本発明にあっては、手洗い器の手洗側排水経路に便器排水が逆流する恐れを低減できる、という利点を有する。
【発明を実施するための最良の形態】
【００１３】
以下、本発明を添付図面に示す実施形態に基いて説明する。
【００１４】
本例の壁排水型ターントラップ式水洗便器１は、図４のように、便器本体２の前部に設けた便器ボウル３の下部に後方に開口するボウル排水口４が設けられ、このボウル排水口４に上流側開口５ａを接続させたトラップ筒５が設けられ、このトラップ筒５が、回動先端となる下流側開口５ｂを上方に向く状態から後方に向く状態に上下に回動自在にさせて、便器本体２の後部に配設したトラップ筒収納室６に収納配置されており、トラップ筒５の下流側開口５ｂからの便器排水を建物壁２０に設けた壁排水口２１に流す室排水口７がトラップ筒収納室６の後壁６ａに設けられている。
【００１５】
詳しくは、便器本体２の後部には脚部１６によってトイレルーム３２の床面に載設されるユニット状のターントラップ装置１２が設けられており、このターントラップ装置１２に上記トラップ筒５及びトラップ筒収納室６、またトラップ筒５を回動駆動させる駆動装置１５が設けられている。なお、トラップ筒５は可撓性を有する円筒部材であり、その下流側開口５ｂが上方に向いた状態では便器ボウル３に溜水が溜められる溜水状態（待機状態）であり、洗浄動作時には下流側開口５ｂを室排水口７に向けるように下方に回動されるのであり、回動下端である下流側開口５ｂが後方横向きに向いた状態では、下流側開口５ｂが室排水口７に略対向するように位置して、下流側開口５ｂから上記溜水が便器排水として排水される排水状態となる。
【００１６】
トラップ筒収納室６は、前壁６ｂ、底壁６ｃ、天井壁６ｄ、左右一対の側壁６ｅ及び後壁６ａで囲まれた水密的な部屋空間であり、便器ボウル３から建物壁２０の排水口に至る便器側排水経路１１の一部を構成する部位である。ここで、便器側排水経路１１は便器ボウル３のボウル排水口４からトラップ筒５、トラップ筒収納室６の室排水口７を経て壁排水口２１に至る流路である。上下動するトラップ筒５と室排水口７とは縁切りがされているが、トラップ筒５の下流側開口５ｂから排水された便器排水はトラップ筒収納室６で受けると共に室排水口７に集められて、壁排水口２１に至るようになっている。なお、上記室排水口７はトラップ筒収納室６の後壁６ａの下端部に設けられており、トラップ筒収納室６の底壁６ｃには室排水口７に排水を滞りなく集めて流すため縦断面Ｕ字状の集水溝１７が形成されている。
【００１７】
ここで、上記室排水口７が設けられたトラップ筒収納室６の後壁６ａには、図１乃至３のように、本例の壁排水型ターントラップ式水洗便器１と一緒にトイレルーム３２に併設される手洗い器３０（図５）から至る手洗側排水経路３１の出口３１ａが接続される接続部８が設けられている。詳しくは、接続部８は少なくとも室排水口７よりも上方位置である後壁６ａの上部域に設けられている。このようにトラップ筒５の下流側開口５ｂからの便器排水が流れる室排水口７と同じ壁の部位であるトラップ筒収納室６の後壁６ａに手洗い器３０から至る手洗側排水経路３１の接続部８があるので、室排水口７付近に付着した汚物に対して上記接続部８から供給される手洗排水を当てて上記付した汚物を剥がすように洗い流すことができるのであり、つまり便器側排水経路１１に堆積した汚物を無くするようにできるから、便器側排水経路１１に堆積した汚物が便器排水の流れを阻害することに起因する手洗側排水経路３１への便器排水の逆流の恐れを低減することができるようになっている。なお、手洗い器３０での手洗いは洗剤や石鹸等を用いて行うこともでき、この場合、トラップ筒収納室６に排水された手洗排水には洗剤成分が含まれるから、この洗剤成分によって便器側排水経路１１に堆積した汚物を良好に洗浄することができる。
【００１８】
そして、この接続部８には、正面視で手洗側排水経路３１の出口３１ａを覆う遮蔽部９と、手洗側排水経路３１の出口３１ａから上記遮蔽部９を廻りこんでトラップ筒収納室６に連通する迂回流路部１０とが設けられている。詳しくは、トラップ筒収納室６の後壁６ａには後方に凹没した段部１３が形成されると共に、この段部１３における後面１３ａの上部域に手洗側排水経路３１の出口３１ａが開口しており、後壁６ａにおける段部１３の上縁部分から垂下壁部１４を垂設して手洗側排水経路３１の出口３１ａの前方に位置させることで遮蔽部９が形成されており、垂下壁部１４の下面１４ａと段部１３における段面となる下面１３ｂとの間の隙間Ｓが迂回流路部１０を構成している。このように接続部８に設けた遮蔽部９によると、たとえ便器側排水経路１１に堆積した汚物で流れが阻害された便器排水が手洗側排水経路３１に逆流しようとしても、手洗側排水経路３１に流入しようとする便器排水を当ててその勢いを減ずることができるのであり、手洗側排水経路３１への便器排水の逆流の恐れを低減することができるようになっている。なお、接続部８に迂回流路部１０を設けたことによると、手洗い排水のトラップ筒収納室６への流入経路を確保できたものである（矢印Ａ）。
【００１９】
更に言うと、トラップ筒５からの便器排水を極力滞りなく室排水口７に流すために、トラップ筒５の下流側開口５ｂと室排水口７とは左右方向の略同位置に位置するように設定されているのであるが、上記接続部８の位置は上記トラップ筒５の下流側開口５ｂ及び室排水口７の位置と左右方向にずれた位置に設定されている。換言すると、手洗側排水経路３１の出口３１ａの芯軸ａ（中心点）と室排水口７の芯軸ｂ（中心点）とが左右方向にずれた位置に設定されている。なお詳しくは、本例の接続部８は、図３のようにターントラップ装置１２の後方から見て、室排水口７のやや左上に位置するように設けられている。
【００２０】
下方回動中のトラップ筒５の下流側開口５ｂからは少量の便器排水が後方に飛び出る場合があって、この飛び出た便器排水はトラップ筒収納室６の後壁６ａにひっかかることとなる（矢印Ｂ）。ここで、この飛び出た便器排水は、トラップ筒５の下流側開口５ｂと左右方向の略同位置に位置する室排水口７から滞りなくスムーズに排出されるのであり、汚物等が便器側排水経路１１に付着する恐れが低減されている。また、一方、接続部８の位置は上述のようにトラップ筒５の下流側開口５ｂ及び室排水口７の位置に比べて左右方向にずれた位置に設定されているので、回動中のトラップ筒５の下流側開口５ｂから飛び出た便器排水が接続部８に直接ひっかかる恐れが低減されている。つまり、これによっても手洗側排水経路３１への便器排水の逆流の恐れが低減されることとなっている。
【図面の簡単な説明】
【００２１】
【図１】本発明の実施の形態の例の壁排水型ターントラップ式水洗便器の要部の断面斜視図である。
【図２】図１の他の方向から見た断面斜視図である。
【図３】同上のターントラップ装置を後方から見た斜視図である。
【図４】同上の壁排水型ターントラップ式水洗便器のトイレルームへの設置状態を示す概略の側断面図である。
【図５】同上のトイレルームの斜視図である。
【図６】従来技術の例のトイレルームの斜視図である。
【符号の説明】
【００２２】
１  壁排水型ターントラップ式水洗便器
２  便器本体
３  便器ボウル
４  ボウル排水口
５  トラップ筒
５ａ  上流側開口
５ｂ  下流側開口
６  トラップ筒収納室
６ａ  後壁
７  室排水口
８  接続部
９  遮蔽部
１０  迂回流路部
１１  便器側排水経路
１２  ターントラップ装置
２１  壁排水口
３０  手洗い器
３１  手洗側排水経路
３１ａ  出口
【図１】
2008291612.tif 000003
【図２】
2008291612.tif 000004
【図３】
2008291612.tif 000005
【図４】
2008291612.tif 000006
【図５】
2008291612.tif 000007
【図６】
2008291612.tif 000008